(57)【要約】【課題】平滑キャパシタＣ２に生ずる電圧ＶＲＥＣＴの変動を抑制する。【解決手段】ワイヤレス受電装置２０は、ワイヤレス送電装置１０から送出される電界、磁界、電磁界のいずれかを含む電力信号Ｓ１を受信する。受信アンテナ２２は、等価的に直列接続される受信コイルＬ１および共振キャパシタＣ１を含む。第１ダイオードＤ１は、受信アンテナ２２の両端間にループを形成するよう挿入される。スイッチＭ１は、第１ダイオードＤ１と並列に設けられる。モードコントローラ２６は、スイッチＭ１のオン、オフを制御する。整流回路２４は、スイッチＭ１のオン状態において、共振キャパシタＣ１の両端間の電圧ＶＣ１に応じた共振電圧ＶＲＥＳに応じて平滑キャパシタＣ２をチャージし、スイッチＭ１のオフ状態において、第１ダイオードＤ１に流れる電流ＩＲＸに応じて平滑キャパシタＣ２をチャージする。【選択図】図２
2016082782.tif 000002
【特許請求の範囲】
【請求項１】
ワイヤレス送電装置から送出される電界、磁界、電磁界のいずれかを含む電力信号を受信するワイヤレス受電装置であって、
等価的に直列接続される受信コイルおよび共振キャパシタを含む受信アンテナと、
前記受信アンテナの両端間にループを形成するよう挿入される第１ダイオードと、
前記第１ダイオードと並列に設けられたスイッチと、
平滑キャパシタと、
前記スイッチのオン、オフを制御するモードコントローラと、
前記スイッチのオン状態において、前記共振キャパシタの両端間の電圧に応じた共振電圧に応じて前記平滑キャパシタをチャージし、前記スイッチのオフ状態において、前記第１ダイオードに流れる電流に応じて前記平滑キャパシタをチャージする整流回路と、
を備えることを特徴とするワイヤレス受電装置。
【請求項２】
前記整流回路は、
前記共振キャパシタと並列に設けられた第２ダイオードと、アノードが前記第２ダイオードのカソードと接続され、カソードが前記平滑キャパシタと接続される第３ダイオードと、を含む第１整流部と、
アノードが前記第１ダイオードのカソードと接続され、カソードが前記平滑キャパシタと接続される第４ダイオードを含む第２整流部と、
を含むことを特徴とする請求項１に記載のワイヤレス受電装置。
【請求項３】
前記整流回路は、
前記共振電圧を整流し、前記平滑キャパシタに出力する第１整流部と、
前記第１整流部の出力と前記平滑キャパシタの間に設けられたインダクタと、
前記第１ダイオードに流れる電流を整流し、前記平滑キャパシタに出力する第２整流部と、
を含むことを特徴とする請求項１に記載のワイヤレス受電装置。
【請求項４】
前記モードコントローラは、前記平滑キャパシタの両端間の整流電圧に応じた検出電圧を所定の基準電圧と比較する電圧コンパレータを含み、前記検出電圧が前記基準電圧を超えると前記スイッチをオフし、前記検出電圧が前記基準電圧を下回ると前記スイッチをオンすることを特徴とする請求項１から３のいずれかに記載のワイヤレス受電装置。
【請求項５】
前記共振キャパシタは、等価的に直列接続された複数のキャパシタを含み、
前記整流回路は、前記スイッチがオンの状態において、前記複数のキャパシタのうち少なくともひとつの両端間の電圧を前記共振電圧として、前記平滑キャパシタをチャージすることを特徴とする請求項１から４のいずれかに記載のワイヤレス受電装置。
【発明の詳細な説明】
【技術分野】
【０００１】
本発明は、ワイヤレス給電技術に関する。
【背景技術】
【０００２】
近年、携帯電話端末やノート型コンピュータなどの電子機器、あるいは電気自動車に対する給電技術として、ワイヤレス（非接触）電力伝送が着目されている。ワイヤレス電力伝送は、主に電磁誘導型、電波受信型、電場・磁場共鳴型、の３つに分類される。
【０００３】
電磁誘導型は短距離（数ｃｍ以内）において利用され、数百ｋＨｚ以下の帯域で数百Ｗの電力を伝送することができる。電力の利用効率は６０〜９８％程度となっている。
数ｍ以上の比較的長い距離に給電する場合、電波受信型が利用される。電波受信型では、中波〜マイクロ波の帯域で数Ｗ以下の電力を伝送することができるが、電力の利用効率は低い。数ｍ程度の中距離を、比較的高い効率で給電する手法として、電場・磁場共鳴型が着目されている（非特許文献１参照）。
【先行技術文献】
【特許文献】
【０００４】
【特許文献１】特開２０１３−１８７９５８号公報
【特許文献２】特開２０１１−１２０４４３号公報
【特許文献３】特開２００８−０９９３５２号公報
【特許文献４】特開２０１０−１５４６９６号公報
【特許文献５】特開２０１１−９０７２３号公報
【非特許文献】
【０００５】
【非特許文献１】A. Karalis, J.D. Joannopoulos, M. Soljacic、「Efficient wireless non-radiative mid-range energy transfer」、ANNALS of PHYSICS Vol. 323, pp.34-48, 2008, Jan.
【発明の概要】
【発明が解決しようとする課題】
【０００６】
磁界結合による電力伝送において、電磁誘導のコイル間結合係数ｋは、送信コイルと受信コイルの相対的な位置の変動に伴い時々刻々と変化する。これにより受電装置側のインピーダンス（負荷インピーダンス）が広範な範囲で変動することとなり、受電装置側の平滑キャパシタから取り出される電圧が大きく変動する。一般的には、この平滑キャパシタの電圧は、後段のＤＣ／ＤＣコンバータによりある電圧レベルに安定されるが、平滑キャパシタの電圧、言い換えればＤＣ／ＤＣコンバータの入力電圧が大きく変動すると、ＤＣ／ＤＣコンバータを効率が低い領域で使用することとなり、あるいは、昇圧、降圧動作を切りかえる必要が生ずる。
【０００７】
また結合係数ｋが大きくなると受信コイルと鎖交する磁束密度が増大し、受信コイルに流れる共振電流が増大し、受信コイル、共振キャパシタに生ずる共振電圧が増大するため、受電装置を構成する素子を高耐圧とする必要がある。また受信コイルに流れる電流が大きくなると、受信コイルが発生する磁束が増大し、送電装置に影響を及ぼす。
【０００８】
本発明は係る課題に鑑みてなされたものであり、そのある態様の例示的な目的のひとつは、平滑キャパシタに生ずる電圧の変動を抑制可能なワイヤレス受電装置の提供にある。
【課題を解決するための手段】
【０００９】
本発明のある態様は、ワイヤレス送電装置から送出される電界、磁界、電磁界のいずれかを含む電力信号を受信するワイヤレス受電装置に関する。ワイヤレス受電装置は、等価的に直列接続される受信コイルおよび共振キャパシタを含む受信アンテナと、受信アンテナの両端間にループを形成するよう挿入される第１ダイオードと、第１ダイオードと並列に設けられたスイッチと、平滑キャパシタと、スイッチのオン、オフを制御するモードコントローラと、スイッチのオン状態において、共振キャパシタの両端間の電圧に応じた共振電圧に応じて平滑キャパシタをチャージし、スイッチのオフ状態において、第１ダイオードに流れる電流に応じて平滑キャパシタをチャージする整流回路と、を備える。
【００１０】
この態様によると、スイッチのオン、オフ状態に応じて、並列共振により電力を取り出すモードと、直列共振により電力を取り出すモードと、を切りかえることができ、１Ω以下から数百Ωの範囲にわたり、インピーダンスを制御することができる。これにより平滑キャパシタの両端間の整流電圧の変動を抑制できる。
【００１１】
整流回路は、共振キャパシタと並列に設けられた第２ダイオードと、アノードが第２ダイオードのカソードと接続され、カソードが平滑キャパシタと接続される第３ダイオードと、を含む第１整流部と、アノードが第１ダイオードのカソードと接続され、カソードが平滑キャパシタと接続される第４ダイオードを含む第２整流部と、を備えてもよい。
これにより、第１モードと第２モードで適切に電力を取り出すことができる。
【００１２】
整流回路は、共振電圧を整流し、平滑キャパシタに出力する第１整流部と、第１整流部の出力と平滑キャパシタの間に設けられたインダクタと、第１ダイオードに流れる電流を整流し、平滑キャパシタに出力する第２整流部と、を備えてもよい。
インダクタを挿入することで、第２整流部が活性状態において、第１整流部を自動的に不活性状態とすることができる。
【００１３】
モードコントローラは、平滑キャパシタの両端間の整流電圧に応じた検出電圧を所定の基準電圧と比較する電圧コンパレータを含み、検出電圧が基準電圧を超えるとスイッチをオフし、検出電圧が基準電圧を下回るとスイッチをオンしてもよい。
２つのモードを、平滑キャパシタの両端間の整流電圧にもとづいて切りかえることで、整流電圧の変動を直接的に抑制できる。
【００１４】
あるいはモードコントローラは、平滑キャパシタの両端間の整流電圧以外の情報にもとづいて、間接的に２つのモードを切りかえてもよい。
【００１５】
共振キャパシタは、等価的に直列接続された複数のキャパシタを含んでもよい。整流回路は、スイッチがオンの状態において、複数のキャパシタのうち少なくともひとつの両端間の電圧を共振電圧として、平滑キャパシタをチャージしてもよい。
この場合、複数のキャパシタそれぞれには、共振キャパシタの両端間の電圧を分圧した電圧が発生する。したがって平滑キャパシタをチャージするための回路に要求される耐圧を下げることができる。
【００１６】
なお、以上の構成要素の任意の組み合わせや本発明の構成要素や表現を、方法、装置などの間で相互に置換したものもまた、本発明の態様として有効である。
【発明の効果】
【００１７】
本発明のある態様によれば、受電装置のインピーダンスを制御することで、整流電圧の変動を抑制できる。
【図面の簡単な説明】
【００１８】
【図１】実施の形態に係るワイヤレス給電システムの構成を示す回路図である。
【図２】ワイヤレス受電装置の構成例を示す回路図である。
【図３】図２のワイヤレス受電装置の並列共振モードにおけるシミュレーション波形図である。
【図４】図２のワイヤレス受電装置の直列共振モードにおけるシミュレーション波形図である。
【図５】図２のワイヤレス受電装置の直並列共振切りかえモードにおけるシミュレーション波形図である。
【発明を実施するための形態】
【００１９】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２０】
本明細書において、「部材Ａが、部材Ｂと接続された状態」とは、部材Ａと部材Ｂが物理的に直接的に接続される場合のほか、部材Ａと部材Ｂが、電気的な接続状態に影響を及ぼさない他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００２１】
図１は、実施の形態に係るワイヤレス給電システム１の構成を示す回路図である。ワイヤレス給電システム１は、ワイヤレス送電装置１０およびワイヤレス受電装置２０を備える。はじめにワイヤレス送電装置１０の構成を説明する。
【００２２】
ワイヤレス送電装置１０は、ワイヤレス受電装置２０に対して電力信号を送出する。ＭＲ（Magnetic Resonance）方式のワイヤレス給電システム１では、電力信号Ｓ１として電波になっていない電磁波の近傍界（電界、磁界、あるいは電磁界）が利用される。
【００２３】
ワイヤレス送電装置１０は、送信アンテナ１２および交流電源１４を備える。交流電源１４は、所定の周波数を有する、あるいは周波数変調された、もしくは位相変調、振幅変調などが施された駆動信号を発生し、それにより送信アンテナ１２にコイル電流ＩＴＸを供給する。本実施の形態においては説明の簡潔化と理解の容易化のため、駆動信号が一定の周波数を有する交流信号である場合を説明する。たとえば駆動信号の周波数は、数百ｋＨｚ〜数ＭＨｚの間で適宜選択される。
【００２４】
送信アンテナ１２は、交流電源１４が発生した駆動信号Ｓ２に応答して、電界、磁界、電磁界のいずれかを含む近傍界（電力信号）Ｓ１として空間に放射する。ＭＲ方式では、主として磁界により電力が伝送される。以上がワイヤレス送電装置１０の構成である。続いてワイヤレス受電装置２０の構成を説明する。
【００２５】
ワイヤレス受電装置２０は、ワイヤレス送電装置１０から送出される電力信号Ｓ１を受信する。ワイヤレス受電装置２０は、受信アンテナ２２、第１ダイオードＤ１、スイッチＭ１、整流回路２４、平滑キャパシタＣ２、モードコントローラ２６、インピーダンス調整回路２８、電圧レギュレータ３０、負荷３２を備える。
【００２６】
受信アンテナ２２は、送信アンテナ１２からの電力信号Ｓ１を受信する。受信アンテナ２２は、電気的に直列に接続された受信コイルＬ１および共振キャパシタＣ１を含む。受信アンテナ２２の共振周波数は、電力信号Ｓ１の周波数に応じてチューニングされる。
【００２７】
受信コイルＬ１には、電力信号Ｓ１に応じて誘起されるコイル電流（共振電流）ＩＲＸが流れ、ワイヤレス受電装置２０はこのコイル電流ＩＲＸから電力を取り出す。
【００２８】
第１ダイオードＤ１は、受信アンテナ２２の両端Ｅ１、Ｅ２間に、ループを形成するよう挿入される。スイッチＭ１は、第１ダイオードＤ１と並列に設けられる。たとえばスイッチＭ１は、トランジスタ素子、より具体的には、ＭＯＳＦＥＴ（Metal Oxide Semiconductor Field Effect Transistor）あるいはＩＧＢＴ（Insulated Gate Bipolar Transistor）で構成することができる。
【００２９】
モードコントローラ２６は、スイッチＭ１のオン、オフを制御する。整流回路２４は、スイッチＭ１のオン状態において、共振キャパシタＣ１の両端間の電圧ＶＣ１に応じた共振電圧ＶＲＥＳに応じて平滑キャパシタＣ２をチャージする。また整流回路２４は、スイッチＭ１のオフ状態において、第１ダイオードＤ１に流れる電流ＩＤ１に応じて平滑キャパシタＣ２をチャージする。
【００３０】
詳しくは後述するように、第１ダイオードＤ１、スイッチＭ１、整流回路２４、モードコントローラ２６は、共振経路のインピーダンスを制御するインピーダンス調整回路２８であるものと理解される。
【００３１】
電圧レギュレータ３０は、平滑キャパシタＣ２に生ずる整流電圧ＶＲＥＣＴを受け、所定レベルに安定化して負荷３２に供給する。電圧レギュレータ３０は、たとえばＤＣ／ＤＣコンバータであってもよいし、リニアレギュレータであってもよい。
【００３２】
以上がワイヤレス受電装置２０の基本構成である。本発明は、図１の回路図あるいはブロック図として把握されるさまざまな回路に及ぶが、以下ではワイヤレス受電装置２０の具体的な構成例を説明する。
【００３３】
図２は、ワイヤレス受電装置２０の構成例を示す回路図である。
共振キャパシタＣ１は、等価的に直列に接続された複数（ここでは２個）のキャパシタＣ１ａ、Ｃ１ｂを含む。整流回路２４は、スイッチＭ１がオンの状態において、複数のキャパシタＣ１ａ、Ｃ１ｂのうち少なくともひとつＣ１ｂの両端間の電圧ＶＣ１ｂを共振電圧ＶＲＥＳとして、平滑キャパシタＣ２をチャージする。
【００３４】
整流回路２４は、第１整流部４０、第２整流部４２、インダクタＬ２を備える。第１整流部４０は、共振電圧ＶＲＥＳを整流し、平滑キャパシタＣ２に出力する。たとえば第１整流部４０は、第２ダイオードＤ２、第３ダイオードＤ３を含む。第２ダイオードＤ２は、共振キャパシタＣ１の少なくとも一部と並列に設けられ、より具体的にはキャパシタＣ１ｂと並列に設けられる。第３ダイオードＤ３のアノードは第２ダイオードＤ２のカソードと接続され、第３ダイオードＤ３のカソードは平滑キャパシタＣ２と接続される。インダクタＬ２は、第１整流部４０の出力４４と平滑キャパシタＣ２の間に設けられる。
【００３５】
第２整流部４２は、第４ダイオードＤ４を含む。第４ダイオードＤ４のアノードは第１ダイオードＤ１のカソードと接続され、第４ダイオードＤ４のカソードは平滑キャパシタＣ２と接続される。
【００３６】
モードコントローラ２６は、平滑キャパシタＣ２の両端間の整流電圧ＶＲＥＣＴに応じた検出電圧ＶＳを所定の基準電圧ＶＲＥＦと比較する電圧コンパレータ４６を含む。検出電圧ＶＳは、整流電圧ＶＲＥＣＴそのものであってもよいし、図２に示すように抵抗Ｒ１１、Ｒ１２を含む分圧回路によって整流電圧ＶＲＥＣＴを分圧して生成されてもよい。電圧コンパレータ４６は、ヒステリシスコンパレータであってもよい。
【００３７】
モードコントローラ２６は、検出電圧ＶＳが基準電圧ＶＲＥＦより高いときスイッチＭ１をオフし、検出電圧ＶＳが基準電圧ＶＲＥＦより低いときスイッチＭ１をオンする。検出電圧ＶＳの電圧レベルが基準電圧ＶＲＥＦの近傍にあるとき、スイッチＭ１は、時分割的にオンとオフが交互に切りかえられる。
【００３８】
以上がワイヤレス受電装置２０の構成である。続いてその動作を、２つの状態にわけて説明する。
（１）低インピーダンス状態（並列共振モード）
ワイヤレス送電装置１０とワイヤレス受電装置２０の距離が大きく、結合係数ｋが小さい場合、整流電圧ＶＲＥＣＴの電圧レベルが基準電圧ＶＲＥＦより低くなる。この場合、スイッチＭ１がオン状態となり、第１ダイオードＤ１がバイパスされ、受信アンテナ２２およびスイッチＭ１を含む共振回路のインピーダンスが、スイッチＭ１がオフの場合に比べて相対的に低下する。スイッチＭ１がオンすると、第３ダイオードＤ３が順方向にバイアスされ導通状態となり、第３ダイオードＤ３およびインダクタＬ２を介して平滑キャパシタＣ２が充電される。このとき平滑キャパシタＣ２は整流回路２４を介して、受信アンテナ２２の共振キャパシタＣ１と並列に接続され、したがって並列共振回路が形成される。図３は、図２のワイヤレス受電装置２０の並列共振モードにおけるシミュレーション波形図である。ＶＤ１は、第１ダイオードＤ１の両端間電圧を示す。
【００３９】
その結果、コイル電流ＩＲＸが相対的に大きくなり、共振キャパシタＣ１の両端間の共振電圧ＶＲＥＳが増大し、大きな共振電圧ＶＲＥＳを利用して平滑キャパシタＣ２をチャージすることで、整流電圧ＶＲＥＣＴの電圧レベルが低くなりすぎるのを防止できる。
【００４０】
（２）高インピーダンス状態（直列共振モード）
ワイヤレス送電装置１０とワイヤレス受電装置２０の距離が近く、結合係数ｋが大きい場合、整流電圧ＶＲＥＣＴの電圧レベルが基準電圧ＶＲＥＦより大きくなる。この場合、スイッチＭ１がオフ状態となり、共振回路に第１ダイオードＤ１が追加され、共振回路のインピーダンスが、スイッチＭ１がオンの場合に比べて相対的に増大し、コイル電流ＩＲＸが減少する。スイッチＭ１がオフすると、第４ダイオードＤ４が順方向にバイアスされ、第１ダイオードＤ１に流れる電流ＩＲＸが、第２整流部４２を介して平滑キャパシタＣ２に供給される。第３ダイオードＤ３は、逆方向にバイアスされるため、非導通となる。このとき平滑キャパシタＣ２は、整流回路２４を介して受信アンテナ２２に対して直列に接続され、したがって直列共振回路が形成される。図４は、図２のワイヤレス受電装置２０の直列共振モードにおけるシミュレーション波形図である。
【００４１】
直列共振モードでは、平滑キャパシタＣ２の充電電流が並列共振モードに比べて減少するため、整流電圧ＶＲＥＣＴが増大しすぎるのを防止できる。
【００４２】
（３）中間インピーダンス状態（直並列共振切りかえモード）
結合係数ｋが中間的な場合、整流電圧ＶＲＥＣＴが基準電圧ＶＲＥＦの近傍となる。この場合、スイッチＭ１が、オン、オフを交互に繰り返す動作モードとなり、整流電圧ＶＲＥＣＴが基準電圧ＶＲＥＦの近傍に安定化される。図５は、図２のワイヤレス受電装置２０の直並列共振切りかえモードにおけるシミュレーション波形図である。φ１は並列共振モードを、φ２は並列共振モードを示す。この波形図では、基準電圧ＶＲＥＦはヒステリシスを有しており、整流電圧ＶＲＥＣＴは、上側の基準電圧ＶＲＥＦＨと下側の基準電圧ＶＲＥＦＬの間に安定化されている。
【００４３】
以上がワイヤレス受電装置２０の動作である。続いてその利点を説明する。
図２に示すように、実施の形態に係るワイヤレス受電装置２０では、第１ダイオードＤ１およびスイッチＭ１を設け、スイッチＭ１のオン、オフ状態に応じて、並列共振により電力を取り出すモードと、直列共振により電力を取り出すモードと、を切りかえることが可能である。これにより、１Ω以下から数百Ωの範囲にわたり、共振回路のインピーダンス、ひいては共振電流ＩＲＸを制御でき、平滑キャパシタＣ２の両端間の整流電圧ＶＲＥＣＴの変動を抑制できる。
【００４４】
平滑キャパシタＣ２の後段には多くの場合、電圧レギュレータ３０が設けられる。そして電圧レギュレータ３０には適切な入力電圧範囲が存在する。インピーダンス調整回路２８によって、２つのモードを切りかえることにより、整流電圧ＶＲＥＣＴを、電圧レギュレータ３０の適切な入力電圧範囲に治めることができる。
【００４５】
また実施の形態では、第１ダイオードＤ１が、直列共振モードにおいて共振回路のインピーダンスを低下させるためのインピーダンス素子としての機能と、直列共振モードにおいて、共振電流ＩＲＸを整流する整流回路を形成する素子としての機能を兼用している。これにより、回路面積の増大を抑制できる。
【００４６】
また図３の構成では、第１整流部４０と平滑キャパシタＣ２の間に、インダクタＬ２が挿入されている。これにより、第２整流部４２が活性状態において、第１整流部４０を自動的に不活性状態とすることができる。つまり、整流回路２４の出力を切りかえるために、トランジスタなどのスイッチ素子が不要であり、スイッチＭ１のオン、オフに応じて、整流回路２４の動作を自動で切りかえることができる。
【００４７】
またモードコントローラ２６は、平滑キャパシタＣ２の両端間の整流電圧ＶＲＥＣＴにもとづいてモードを切りかえることとした。これにより、整流電圧ＶＲＥＣＴの変動を直接的に抑制できる。
【００４８】
また図３の構成では、共振キャパシタＣ１を、等価的に直列接続された複数のキャパシタＣ１ａ、Ｃ１ｂで構成することとし、整流回路２４は、スイッチＭ１がオンの状態において、複数のキャパシタＣ１ａ、Ｃ１ｂのうち少なくともひとつの両端間の電圧ＶＣ１ｂを共振電圧ＶＲＥＳとして、平滑キャパシタＣ２をチャージすることとした。
この場合、複数のキャパシタＣ１ａ、Ｃ１ｂそれぞれには、共振キャパシタＣ１全体の両端間の電圧ＶＣ１を分圧した電圧が発生する。したがって平滑キャパシタＣ２をチャージするための回路（つまり第１整流部４０）に要求される素子耐圧を下げることができる。
【００４９】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００５０】
（第１変形例）
モードコントローラ２６は、平滑キャパシタＣ２の両端間の整流電圧ＶＲＥＣＴ以外の情報にもとづいて、間接的に２つのモードを切りかえてもよい。たとえばモードコントローラ２６は、共振電流ＩＲＸを検出する電流センサを含み、共振電流ＩＲＸにもとづいてスイッチＭ１のオン、オフを切りかえてもよい。具体的には、検出した電流量が基準値より大きいとき、スイッチＭ１をオフして共振回路のインピーダンスを増大させ、検出した電流量が基準値より小さいとき、スイッチＭ２をオンして共振回路のインピーダンスを低下させてもよい。
【００５１】
（第２変形例）
整流回路２４の構成は図２のそれには限定されない。当業者によれば第１整流部４０、第２整流部４２それぞれを、別の回路形式で構成しうることが理解される。たとえば第１整流部４０、第２整流部４２は、トランジスタを用いて構成してもよい。
【００５２】
（第３変形例）
実施の形態では、第１整流部４０と平滑キャパシタＣ２の間にインダクタＬ２を挿入することで、第１整流部４０の活性、不活性状態を自動的に切りかえたが、本発明はそれには限定されない。インダクタＬ２に代えて第２のスイッチ素子を設け、このスイッチ素子をスイッチＭ１と同様に、オン、オフ制御してもよい。
【００５３】
（第４変形例）
受信コイルＬ１、共振キャパシタＣ１、第１ダイオードＤ１の接続順序は特に限定されず、入れ替えてもよい。また、共振キャパシタＣ１に生ずる共振電圧ＶＲＥＳがそれほど大きくないアプリケーションにおいては、共振キャパシタＣ１を単一のキャパシタで構成し、その両端間の電圧を、整流回路２４に入力してもよい。
【００５４】
実施の形態にもとづき本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００５５】
１…ワイヤレス給電システム、１０…ワイヤレス送電装置、１２…送信アンテナ、１４…交流電源、２０…ワイヤレス受電装置、２２…受信アンテナ、２４…整流回路、２６…モードコントローラ、２８…インピーダンス調整回路、Ｌ１…受信コイル、Ｃ１…共振キャパシタ、Ｄ１…第１ダイオード、Ｍ１…スイッチ、Ｃ２…平滑キャパシタ、３０…電圧レギュレータ、３２…負荷、４０…第１整流部、４２…第２整流部、４４…出力、４６…電圧コンパレータ、Ｌ２…インダクタ、Ｄ２…第２ダイオード、Ｄ３…第３ダイオード、Ｄ４…第４ダイオード。
【図１】
2016082782.tif 000003
【図２】
2016082782.tif 000004
【図３】
2016082782.tif 000005
【図４】
2016082782.tif 000006
【図５】
2016082782.tif 000007